(57)【要約】【課題】アンテナ制御装置の非稼働時における信号線の電圧による故障を回避することが可能なアンテナ制御装置及びアンテナ制御装置用電圧遮断回路を提供する。【解決手段】アンテナ制御装置１０は、第１〜第３の電源線２１〜２３及び第１及び第２の信号線２５，２６を含む多芯ケーブル２が接続され、第１〜第３の電源線２１〜２３から供給される電源によって動作し、第１及び第２の信号線２５，２６によって伝送される制御信号に基づいてアンテナ装置１の制御を行う制御回路３と、第１〜第３の電源線２１〜２３に電源電圧が印加されているとき、第１及び第２の信号線２５，２６の電圧を制御回路３に伝達し、第１〜第３の電源線２１〜２３に電源電圧が印加されていないとき、第１及び第２の信号線２５，２６の電圧の制御回路３への伝達を遮断する電圧遮断回路６とを備える。【選択図】図５
2013143714.tif 000002
【特許請求の範囲】
【請求項１】
電源線及び信号線を含む多芯ケーブルが接続され、
前記電源線から供給される電源によって動作し、前記信号線によって伝送される制御信号に基づいてアンテナの制御を行う制御回路と、
前記電源線に電源電圧が印加されているとき、前記信号線の電圧を前記制御回路に伝達し、前記電源線に電源電圧が印加されていないとき、前記信号線の電圧の前記制御回路への伝達を遮断する電圧遮断回路と
を備えたアンテナ制御装置。
【請求項２】
前記電圧遮断回路は、前記電源線から供給される電源によってコイル電流が流れる電磁コイルと、前記電磁コイルの磁力によって閉状態となり、前記信号線の電圧を前記制御回路に伝達する接点とを有するリレー回路である、
請求項１に記載のアンテナ制御装置。
【請求項３】
前記電圧遮断回路は、前記電源線から供給される電源によって電流が流れるダイオードを有し、前記ダイオードのカソードに前記信号線が接続され、前記ダイオードのアノードに前記制御回路への出力配線が接続された、
請求項１に記載のアンテナ制御装置。
【請求項４】
電源線及び信号線を含む多芯ケーブルによってデイジーチェーン接続され、前記電源線から供給される電源によって動作し、前記信号線によって伝送される制御信号に基づいてアンテナの制御を行う制御回路を有するアンテナ制御装置に搭載され、
前記電源線に電源電圧が印加されているとき、前記信号線の電圧を前記制御回路に伝達し、前記電源線に電源電圧が印加されていないとき、前記信号線の電圧の前記制御回路への伝達を遮断する
アンテナ制御装置用電圧遮断回路。
【発明の詳細な説明】
【技術分野】
【０００１】
本発明は、アンテナ制御装置、及びアンテナ制御装置用電圧遮断回路に関する。
【背景技術】
【０００２】
近年、第３世代の携帯電話方式である３Ｇ通信方式の普及により、このデジタル通信方式に対応した電波送受信のシステムが進歩している。このようなデジタル通信方式において、無線基地局に接続されるアンテナ装置の制御をおこなう国際標準規格として、ＡＩＳＧ（Antenna Interface Standards Group）の規格が存在する（例えば、特許文献１及び非特許文献１参照）。
【０００３】
このＡＩＳＧの規格に対応した無線基地局では、複数のアンテナ装置のそれぞれに設けられたアンテナ制御装置に制御信号を送信し、例えば各アンテナ装置の垂直面内の指向性を通信トラフィックに応じて変更することが可能となっている。複数のアンテナ制御装置は、両端にコネクタが接続された複数の多芯ケーブルによって数珠つなぎ状にデイジーチェーン接続され、デイジーチェーン接続の上流側に接続されたＡＩＳＧ制御装置によって多芯ケーブルの電源線及び信号線に電源電圧及び制御信号が印加される。そして、各アンテナ制御装置は、電源線から供給される電源によって動作し、信号線によって伝送された制御信号に基づいてアンテナ装置の制御を行う。
【先行技術文献】
【特許文献】
【０００４】
【特許文献１】特表２０１０−５１９８０４号公報
【非特許文献】
【０００５】
【非特許文献１】Antenna Interface Standards Group、“AISG Website”、［平成２３年９月２５日検索］、インターネット（URL：http://aisg.torni.fi/AISG v2.0 .pdf）
【発明の概要】
【発明が解決しようとする課題】
【０００６】
このような無線基地局を新たに構築する際には、複数のアンテナ装置及び複数のアンテナ制御装置を設置し、複数のアンテナ制御装置を多芯ケーブルによってデイジーチェーン接続した後、実際に稼働するまでの間に長期間放置される場合がある。また、ＡＩＳＧ制御装置を接続してアンテナの垂直面内の指向性を調整した後に、ＡＩＳＧ制御装置が取り外される場合もある。
【０００７】
この場合、多芯ケーブルの信号線は、電気的に接地されていないハイ・インピーダンス状態となるため、電磁波、静電気、誘導雷等の影響を受けて電位が高くなることがある。信号線の電位がアンテナ制御装置の送受信素子の許容入力電圧を超えて高くなると、送受信素子の故障を招来するおそれがある。
【０００８】
そこで、本発明は、アンテナ制御装置の非稼働時における信号線の電圧による故障を回避することが可能なアンテナ制御装置及びアンテナ制御装置用電圧遮断回路を提供することを目的とする。
【課題を解決するための手段】
【０００９】
本発明は、上記課題を解決することを目的として、電源線及び信号線を含む多芯ケーブルが接続され、前記電源線から供給される電源によって動作し、前記信号線によって伝送される制御信号に基づいてアンテナの制御を行う制御回路と、前記電源線に電源電圧が印加されているとき、前記信号線の電圧を前記制御回路に伝達し、前記電源線に電源電圧が印加されていないとき、前記信号線の電圧の前記制御回路への伝達を遮断する電圧遮断回路とを備えたアンテナ制御装置を提供する。
【００１０】
また、前記電圧遮断回路は、前記電源線から供給される電源によってコイル電流が流れる電磁コイルと、前記電磁コイルの磁力によって閉状態となり、前記信号線の電圧を前記制御回路に伝達する接点とを有するリレー回路であるとよい。
【００１１】
また、前記電圧遮断回路は、前記電源線から供給される電源によって電流が流れるダイオードを有し、前記ダイオードのカソードに前記信号線が接続され、前記ダイオードのアノードに前記制御回路への出力配線が接続されていてもよい。
【００１２】
また、本発明は、上記課題を解決することを目的として、電源線及び信号線を含む多芯ケーブルによってデイジーチェーン接続され、前記電源線から供給される電源によって動作し、前記信号線によって伝送される制御信号に基づいてアンテナの制御を行う制御回路を有するアンテナ制御装置に搭載され、前記電源線に電源電圧が印加されているとき、前記信号線の電圧を前記制御回路に伝達し、前記電源線に電源電圧が印加されていないとき、前記信号線の電圧の前記制御回路への伝達を遮断するアンテナ制御装置用電圧遮断回路を提供する。
【発明の効果】
【００１３】
本発明に係るアンテナ制御装置及びアンテナ制御装置用電圧遮断回路によれば、アンテナ制御装置の非稼働時における信号線の電圧による故障を回避することが可能となる。
【図面の簡単な説明】
【００１４】
【図１】本発明の第１の実施の形態に係るアンテナ制御装置が搭載されたアンテナ装置の一構成例を示す構成図である。
【図２】アンテナ装置に内蔵されたアレイアンテナの構成例を示す斜視図である。
【図３】無線基地局の制御システムの構成例を示す構成図である。
【図４】多芯ケーブルの断面を模式的に示す断面図である。
【図５】アンテナ制御装置の構成例を示す構成図である。
【図６】電圧遮断回路の構成例を示す回路図であり、（ａ）は接点の閉状態を、（ｂ）は接点の開状態を、それぞれ示す。
【図７】本発明の第２の実施の形態に係るアンテナ制御装置の構成例を示す構成図である。
【図８】第２の実施の形態に係るセット信号発生回路及び電圧遮断回路の構成例を示す回路図である。
【図９】第２の実施の形態の変形例に係るリセット信号発生回路及び電圧遮断回路の構成例を示す回路図である。
【図１０】本発明の第３の実施の形態に係る電圧遮断回路の構成例を示す回路図である。
【図１１】本発明の第４の実施の形態に係る電圧遮断回路の構成例を示す回路図である。
【図１２】本発明の第５の実施の形態に係る電圧遮断回路の構成例を示す回路図である。
【図１３】本発明の第６の実施の形態に係る電圧遮断回路の構成例を示す回路図である。
【発明を実施するための形態】
【００１５】
［第１の実施の形態］
次に、本発明の第１の実施の形態について、図１〜図６を参照して説明する。
【００１６】
図１は、本発明の第１の実施の形態に係るアンテナ制御装置が搭載されたアンテナ装置の構成例を示す構成図である。図２は、アンテナ装置に内蔵されたアレイアンテナの構成例を示す斜視図である。１つの無線基地局には、このようなアンテナ装置が１つ以上配置されている。
【００１７】
このアンテナ装置１は、支柱１９に支持金具１１１によって支持された円筒状の筒体１１と、筒体１１に収容されたアレイアンテナ１２と、移相器１３と、アンテナ制御装置１０とを有している。本実施の形態では、アンテナ制御装置１０が、アレイアンテナ１２の指向性を制御するＲＥＴ（Remote Electrical Tilt）ユニットとして機能する場合について説明する。なお、アンテナ制御装置１０の機能としては、これに限らず、例えばアンテナ制御装置１０が、アレイアンテナ１２によって送受信される信号の増幅率を制御する機能を有していてもよい。あるいは、アレイアンテナ１２の指向性を制御する機能と増幅率を制御する機能の両方を備えていてもよい。
【００１８】
アレイアンテナ１２は、図２に示すように、反射板１２０と、反射板１２０に支持された複数のアンテナ素子１２１とを有している。各アンテナ素子１２１は、垂直偏波用の第１エレメント１２１ａと、水平偏波用の第２エレメント１２１ｂとを直角に交差して構成されている。図２に示す例では、複数のアンテナ素子１２１が鉛直方向に沿って複列（２列）に配置されている。
【００１９】
各アンテナ素子１２１によって送受信される信号は、移相器１３によって位相が調節される。移相器１３は、例えば、入力側導体と、出力側導体と、入力側導体に入力された高周波信号を出力側導体へ伝達するための結合導体と、結合導体を回転又は移動させるモータ等からなる駆動機構とを有する分配移相器である。移相器１３によって複数のアンテナ素子１２１間の信号の位相差を調節することで、アレイアンテナ１２の垂直面内の指向性を可変とすることができる。
【００２０】
移相器１３は、ＡＩＳＧの規格に準拠したアンテナ制御装置１０によって制御される。アンテナ制御装置１０は、筒体１１の外周に設けられたカバー部材１１２に収容され、筒体１１の開口１１ａに挿通された電線１３０によって移相器１３に接続されている。アンテナ制御装置１０は、電線１３０を介して移相器１３を制御し、アレイアンテナ１２の垂直面内の指向性を変化させる。
【００２１】
図３は、本実施の形態に係る無線基地局の制御システム１１０の構成例を示す構成図である。図４は、複数のアンテナ制御装置１０を接続する多芯ケーブル２の断面を模式的に示す概略の断面図である。
【００２２】
この無線基地局の制御システム１１０は、上位コントローラであるＡＩＳＧ制御装置１００に、複数（図３に示す例では５台）のアンテナ制御装置１０が多芯ケーブル２によってデイジーチェーン接続されている。この多芯ケーブル２には、図４に示すように、電源グランド線２０と、第１〜第３の電源線２１〜２３と、信号グランド線２４と、第１及び第２の信号線２５，２６とが含まれ、これらの電線が絶縁性樹脂からなるシース２ｃによって覆われている。多芯ケーブル２の両端には、アンテナ制御装置１０のコネクタ１０ａ，１０ｂに着脱可能なコネクタ２ａ，２ｂが設けられている。
【００２３】
第１の電源線２１は、１０〜３０Ｖの直流電源を供給する電源線であり、ＡＩＳＧの規格では”Mandatory”（必須接続）となっている。第２の電源線２２は、＋１２Ｖの直流電源を供給する電源線であり、ＡＩＳＧの規格では”Optional”（任意接続）となっている。第３の電源線２３は、−４８Ｖの直流電源を供給する電源線であり、ＡＩＳＧの規格では”Optional”（任意接続）となっている。従って、多芯ケーブル２は、第２の電源線２２及び第３の電源線２３の一方又は両方を備えていなくともよい。
【００２４】
また、第１及び第２の信号線２５，２６は、ＲＳ４８５の規格に準拠したシリアル伝送を行う一対のツイストペア線である。第１の信号線２５と第２の信号線２６とは、信号の極性が互いに反転しており、差動によって信号を伝送する。
【００２５】
ＡＩＳＧ制御装置１００は、直流電源装置１００ａを備え、この直流電源装置１００ａから複数の多芯ケーブル２の第１〜第３の電源線２１〜２３の何れかを介して各アンテナ制御装置１０に電源を供給する。また、ＡＩＳＧ制御装置１００は、ＣＰＵ（Central Processing Unit）等からなる制御回路１００ｂを備え、この制御回路１００ｂから複数の多芯ケーブル２の第１及び第２の信号線２５，２６を介して各アンテナ制御装置１０に制御信号を出力する。
【００２６】
各アンテナ制御装置１０は、第１〜第３の電源線２１〜２３の何れかから供給される電源によって動作する。本実施の形態では、第１の電源線２１によって供給される１０〜３０Ｖの直流電源によって各アンテナ制御装置１０が動作するものとする。
【００２７】
図５は、アンテナ制御装置１０の構成例を示す構成図である。アンテナ制御装置１０は、制御回路３と、連結配線５０〜５６と、電圧遮断回路６とを備えている。
【００２８】
制御回路３は、ＣＰＵ３０、記憶素子３１、送受信素子３２、及び駆動回路３３等の電子部品からなる。ＣＰＵ３０は、記憶素子３１に記憶されたプログラムに基づいて演算処理を行う。送受信素子３２は、ＡＩＳＧ制御装置１００から送信される制御信号を受信し、ＣＰＵ３０の読み出し信号に応じて、受信した制御信号の内容をＣＰＵ３０に出力する。ＣＰＵ３０は、入力された制御信号の内容に基づいて、駆動回路３３を介した出力により移相器１３を制御する。これらの電子部品は、多芯ケーブル２の第１の電源線２１に印加される電源電圧が所定の電圧（例えば５Ｖ）に電圧変換された図略のＤＣ−ＤＣコンバータの出力によって動作する。
【００２９】
連結配線５０〜５６は、コネクタ１０ａに接続された多芯ケーブル２とコネクタ１０ｂに接続された他の多芯ケーブル２とのそれぞれの電源グランド線２０、第１〜第３の電源線２１〜２３、信号グランド線２４、及び第１〜第２の信号線２５，２６を相互に電気的に接続する。
【００３０】
より具体的には、連結配線５０は、コネクタ１０ａに接続された多芯ケーブル２の電源グランド線２０と、コネクタ１０ｂに接続された他の多芯ケーブル２の電源グランド線２０とを接続する。連結配線５１〜５３は、コネクタ１０ａに接続された多芯ケーブル２の第１〜第３の電源線２１〜２３と、コネクタ１０ｂに接続された他の多芯ケーブル２の第１〜第３の電源線２１〜２３とをそれぞれ接続する。同様に、連結配線５４〜５６は、コネクタ１０ａに接続された多芯ケーブル２の信号グランド線２４、及び第１〜第２の信号線２５，２６と、コネクタ１０ｂに接続された他の多芯ケーブル２の信号グランド線２４、及び第１〜第２の信号線２５，２６とをそれぞれ接続する。
【００３１】
電圧遮断回路６は、第１の電源線２１に電源電圧が印加されているとき、第１及び第２の信号線２５，２６の電圧を制御回路３に伝達する。また、電圧遮断回路６は、第１の電源線２１に電源電圧が印加されていないとき、第１及び第２の信号線２５，２６の電圧の制御回路３への伝達を遮断する。
【００３２】
電圧遮断回路６には、連結配線５５，５６を介して第１及び第２の信号線２５，２６の電圧が入力され、第１の電源線２１に電源電圧が印加されているときには、入力された電圧を、出力配線６１，６２を介して制御回路３に出力する。本実施の形態では、電圧遮断回路６が、次に説明するリレー回路によって構成されている。
【００３３】
図６は、電圧遮断回路６の構成例を示し、（ａ）は第１の電源線２１に電源電圧が印加されているときの動作状態を、（ｂ）は第１の電源線２１に電源電圧が印加されていないときの動作状態を、それぞれ示す。
【００３４】
電圧遮断回路６は、第１の電源線２１から供給される電源によってコイル電流が流れる電磁コイル６０と、電磁コイル６０の磁力によって閉状態となり、第１及び第２の信号線２５，２６の電圧を制御回路３側に伝達する第１及び第２の接点６１０，６２０とを有する。
【００３５】
電磁コイル６０の一端には、連結配線５０が接続され、他端には、連結配線５１が接続されている。すなわち、電磁コイル６０には、連結配線５０と連結配線５１との間の電源電圧によってコイル電流が流れる。
【００３６】
第１の接点６１０は、閉状態で連結配線５５と出力配線６１とを電気的に接続し、開状態で連結配線５５と出力配線６１との接続を遮断する。また、第２の接点６２０は、閉状態で連結配線５６と出力配線６２とを電気的に接続し、開状態で連結配線５６と出力配線６２との接続を遮断する。
【００３７】
第１の接点６１０及び第２の接点６２０は、電磁コイル６０の通電時に、電磁コイル６０の磁力によって閉状態となる。また、第１の電源線２１に電源電圧が印加されていないときには、電磁コイル６０が非通電状態となり、電磁コイル６０の磁力が消滅するので、第１の接点６１０及び第２の接点６２０が開状態となる。
【００３８】
本実施の形態に係るアンテナ制御装置１０によれば、例えばＡＩＳＧ制御装置１００が未接続であることにより、第１の電源線２１に電源電圧が印加されていないとき、すなわちアンテナ制御装置１０の制御回路３が非動作状態であるとき、第１の接点６１０及び第２の接点６２０が開状態となるので、第１及び第２の信号線２５，２６の電圧が制御回路３に伝達されない。これにより、第１及び第２の信号線２５，２６の電位が、例えば電磁波等の影響を受けて高くなった場合でも、制御回路３（送受信素子３２等）を保護することができ、故障の発生を回避することが可能となる。
【００３９】
なお、図５及び図６に示した例では、連結配線５０と連結配線５１との間の電圧により電磁コイル６０にコイル電流が流れるように構成したが、制御回路３を動作させるＤＣ−ＤＣコンバータの出力側の電圧によって電磁コイル６０にコイル電流が流れるようにしてもよい。
【００４０】
また、第２の電源線２２又は第３の電源線２３に電源電圧が印加される場合には、連結配線５１に替えて、第２又は第３の電源線２２，２３に直接接続された連結配線５２，５３を電圧遮断回路６に接続してもよい。この場合、連結配線５２又は連結配線５３の電源電圧によって電磁コイル６０にコイル電流が流れる。
【００４１】
［第２の実施の形態］
図７は、本発明の第２の実施の形態に係るアンテナ制御装置１０Ａの概略の構成例を示す構成図である。図７において、第１の実施の形態について説明したものと実質的に同一の機能を有する構成要素については、共通する符号を付してその重複した説明を省略する。
【００４２】
アンテナ制御装置１０Ａは、図５及び図６に示した電圧遮断回路６に替えてラッチング型リレーを用いた電圧遮断回路６Ａを適用し、この電圧遮断回路６Ａにセット信号を付与するセット信号発生回路６３、及びリセット信号を付与するリセット信号発生回路６４を追加した構成がアンテナ制御装置１０と異なっている。
【００４３】
セット信号発生回路６３は、第１の電源線２１の電源電圧の立ち上がり時に電圧遮断回路６Ａにセット信号を付与する。リセット信号発生回路６４は、外部端子６４１，６４２に電圧が印可されたとき、電圧遮断回路６Ａにリセット信号を付与する。電圧遮断回路６Ａは、セット信号を受けて連結配線５５と出力配線６１、及び連結配線５６と出力配線６２を電気的に接続する。また、電圧遮断回路６Ａは、リセット信号を受けて連結配線５５と出力配線６１、及び連結配線５６と出力配線６２の接続を遮断する。
【００４４】
図８は、セット信号発生回路６３及び電圧遮断回路６Ａの構成例を示す回路図である。
【００４５】
電圧遮断回路６Ａは、第１の電磁コイル６０ａと、第２の電磁コイル６０ｂと、第１及び第２の接点６１０，６２０とを有している。第１及び第２の接点６１０，６２０は、第１の電磁コイル６０ａの通電により閉状態となり、その後第１の電磁コイル６０ａが非通電となっても閉状態を維持する。また、第１及び第２の接点６１０，６２０は、第２の電磁コイル６０ｂの通電により開状態となり、その後第２の電磁コイル６０ｂが非通電となっても開状態を維持する。
【００４６】
セット信号発生回路６３は、オペアンプ６３０と、第１〜第３の抵抗器６３１〜６３３と、コンデンサ６３５とを有している。第１の抵抗器６３１と第２の抵抗器６３２、及び第３の抵抗器６３３とコンデンサ６３５は、連結配線５１と連結配線５０との間にそれぞれ直列に接続されている。オペアンプ６３０の反転入力端子は第１の抵抗器６３１と第２の抵抗器６３２との間に、非反転入力端子は第３の抵抗器６３３とコンデンサ６３５との間に、それぞれ接続されている。オペアンプ６３０の出力端子は、第１の電磁コイル６０ａの一端に接続されている。第１の電磁コイル６０ａの他端には、連結配線５１が接続されている。
【００４７】
電源グランド線２０と第１の電源線２１との間に電源電圧が印加されると、連結配線５０と連結配線５１との間に電圧が発生する。電源電圧の立ち上がり直後には、コンデンサ６３５が充電されていないため、オペアンプ６３０の非反転入力の電位よりも反転入力の電位の方が高くなるが、時間の経過に伴ってコンデンサ６３５が充電されると、反転入力の電位よりも非反転入力の電位の方が高くなる。これにより、電源電圧の立ち上がり直後には第１の電磁コイル６０ａに一時的にコイル電流が流れ、第１及び第２の接点６１０，６２０が閉状態となる。その後、第１の電磁コイル６０ａにコイル電流は流れなくなるが、電圧遮断回路６Ａはラッチング型リレーとして構成されているので、第１及び第２の接点６１０，６２０は閉状態を維持する。なお、第１の電磁コイル６０ａにコイル電流が流れる時間は、第１〜第３の抵抗器６３１〜６３３の抵抗値、及びコンデンサ６３５の静電容量を適宜設定することで調整可能である。
【００４８】
リセット信号発生回路６４は、図示を省略しているが、セット信号発生回路６３と同様に、オペアンプ６３０、第１〜第３の抵抗器６３１〜６３３、及びコンデンサ６３５を有し、これらの回路素子が上記のように接続されている。ただし、第１の抵抗器６３１と第２の抵抗器６３２からなる直列回路、及び第３の抵抗器６３３とコンデンサ６３５からなる直列回路の一端及び他端には、外部端子６４１及び外部端子６４２が接続されている。外部端子６４１及び外部端子６４２は、カバー部材１１２（図１に示す）の外部から、作業者が電圧を供給な位置に設けられている。
【００４９】
作業者が外部端子６４１及び外部端子６４２間に電圧を供給すると、リセット信号発生回路６４が上記と同様に動作し、第２の電磁コイル６０ｂにコイル電流が流れ、第１及び第２の接点６１０，６２０が開状態となる。その後、第２の電磁コイル６０ｂにコイル電流は流れなくなるが、電圧遮断回路６Ａはラッチング型リレーとして構成されているので第１及び第２の接点６１０，６２０は、開状態を維持する。
【００５０】
本実施の形態によれば、第１の実施の形態の効果に加え、第１及び第２の接点６１０，６２０を閉状態とする間、継続的にコイル電流を流す必要がないので、省電力化に寄与できる。
【００５１】
なお、本実施の形態に係るアンテナ制御装置１０Ａは、リセット信号発生回路６４を図９のように変形して実施することも可能である。図９は、本実施の形態の変形例に係るリセット信号発生回路６４Ａの回路図である。
【００５２】
このリセット信号発生回路６４Ａは、第１の抵抗器６３１と第２の抵抗器６３２からなる直列回路、及び第３の抵抗器６３３とコンデンサ６３５からなる直列回路の一端及び他端に連結配線５１及び連結配線５０が接続され、オペアンプ６３０の非反転入力端子が第１の抵抗器６３１と第２の抵抗器６３２との間に、反転入力端子が第３の抵抗器６３３とコンデンサ６３５との間にそれぞれ接続され、かつコンデンサ６３５と並列に第４の抵抗器６３４が接続された点がリセット信号発生回路６４と異なる。第１〜第４の抵抗器６３１〜６３４の抵抗値をそれぞれＲ１〜Ｒ４とすると、Ｒ１〜Ｒ４は、Ｒ４／（Ｒ３＋Ｒ４）＜Ｒ２／（Ｒ１＋Ｒ２）の関係を満たしている。
【００５３】
このリセット信号発生回路６４Ａによれば、電源電圧が印可されているときにはオペアンプ６３０の非反転入力端子の電位が反転入力端子の電位よりも高く、電源電圧が低下し始めると、反転入力端子の電位が非反転入力端子の電位よりも大きな時定数でゆっくり低下する。そして、反転入力端子の電位が非反転入力端子の電位よりも高くなったとき、オペアンプ６３０の出力が反転し、第２の電磁コイル６０ｂにコイル電流が流れ、第１及び第２の接点６１０，６２０が開状態となる。
【００５４】
これにより、作業者が第１及び第２の接点６１０，６２０を開状態とする作業を行うことなく、電源電圧の遮断時に第１及び第２の接点６１０，６２０を開状態とすることができる。
【００５５】
［第３の実施の形態］
図１０は、第３の実施の形態に係る電圧遮断回路６Ｂの構成例を示す回路図である。本実施の形態に係るアンテナ制御装置は、電圧遮断回路６Ｂ以外の各構成要素については、第１の実施の形態に係るアンテナ制御装置１０と同様に構成されている。
【００５６】
この電圧遮断回路６Ｂは、第１〜第４の抵抗器７１１〜７１４と、第１のダイオード７２１及び第２のダイオード７２２とを有している。第１の抵抗器７１１、第１のダイオード７２１、及び第２の抵抗器７１２は、連結配線５１と連結配線５０との間に直列に接続さている。また、第３の抵抗器７１３、第２のダイオード７２２、及び第３の抵抗器７１４は、連結配線５１と連結配線５０との間に直列に接続されている。
【００５７】
連結配線５５は、第１のダイオード７２１のカソードと第２の抵抗器７１２との間に接続され、出力配線６１は、第１のダイオード７２１のアノードと第１の抵抗器７１１との間に接続されている。また、連結配線５６は、第２のダイオード７２２のカソードと第４の抵抗器７１４との間に接続され、出力配線６２は、第２のダイオード７２２のアノードと第３の抵抗器７１３との間に接続されている。
【００５８】
連結配線５１と連結配線５０との間に電圧が発生しているとき、連結配線５５の信号状態がＨｉｇｈである場合には、連結配線５１と第１のダイオード７２１のカソードとの間の電位差が小さいので第１のダイオード７２１に電流が流れず、出力配線６１の信号状態は連結配線５５と同じくＨｉｇｈとなる。また、連結配線５５の信号状態がＬｏｗである場合には、連結配線５１の電圧によって第１のダイオード７２１に電流が流れ、出力配線６１の信号状態は、連結配線５５と同じくＬｏｗとなる。
【００５９】
連結配線５６と出力配線６２についても同様に、連結配線５６の信号状態がＨｉｇｈである場合には出力配線６２の信号状態もＨｉｇｈとなり、連結配線５６の信号状態がＬｏｗである場合には出力配線６２の信号状態もＬｏｗとなる。このように、電圧遮断回路６Ｂは、第１の電源線２１に電源電圧が印可されているとき、第１及び第２の信号線２５，２６の電圧（連結配線５５，５６の電圧）を制御回路３側（出力配線６１，６２）に伝達する。
【００６０】
一方、連結配線５１と連結配線５０との間に電圧が発生されていないとき、すなわち第１の電源線２１に電源電圧が印可されていないときには、連結配線５５，５６の信号状態に関わらず第１及び第２のダイオード７２１，７２２に電流が流れず、第１及び第２の信号線２５，２６の電圧（連結配線５５，５６の電圧）が制御回路３側（出力配線６１，６２）に伝達されない。
【００６１】
本実施の形態によっても、第１及び第２のダイオード７２１，７２２の逆方向耐圧を第１及び第２の信号線２５，２６に発生し得る電位よりも高くすることにより、第１及び第２の実施の形態と同様の作用及び効果が得られる。
【００６２】
［第４の実施の形態］
図１１は、第４の実施の形態に係る電圧遮断回路６Ｃの構成例を示す回路図である。本実施の形態に係るアンテナ制御装置は、電圧遮断回路６Ｃ以外の各構成要素については、第１の実施の形態に係るアンテナ制御装置１０と同様に構成されている。
【００６３】
電圧遮断回路６Ｃは、第１〜第１１の抵抗器７３，７３０〜７３９と、第１〜第１０のトランジスタ７４０〜７４９と、第１〜第４のダイオード７５１〜７５４とを有している。
【００６４】
第２の抵抗器７３０、第１のトランジスタ７４０、第１の抵抗器７３、第２のトランジスタ７４１、及び第３の抵抗器７３１は、連結配線５１と連結配線５０との間に、この順序で直列に接続されている。
【００６５】
また、第４の抵抗器７３２、第３のトランジスタ７４２、第１のダイオード７５１、第４のトランジスタ７４３、第５の抵抗器７３３が連結配線５１と連結配線５０との間に直列に接続され、この直列回路と並列に、第６の抵抗器７３４、第５のトランジスタ７４４、第２のダイオード７５２、第６のトランジスタ７４５、第７の抵抗器７３５が連結配線５１と連結配線５０との間に直列に接続されている。
【００６６】
またさらに、第８の抵抗器７３６、第７のトランジスタ７４６、第３のダイオード７５３、第８のトランジスタ７４７、第９の抵抗器７３７が連結配線５１と連結配線５０との間に直列に接続され、この直列回路と並列に、第１０の抵抗器７３８、第９のトランジスタ７４８、第４のダイオード７５４、第１０のトランジスタ７４９、第１１の抵抗器７３９が連結配線５１と連結配線５０との間に直列に接続されている。
【００６７】
第１のトランジスタ７４０、第３のトランジスタ７４２、第５のトランジスタ７４４、第７のトランジスタ７４６、及び第９のトランジスタ７４８のベース端子は、第１のトランジスタ７４０のエミッタ端子に接続されている。また、第２のトランジスタ７４１、第４のトランジスタ７４３、第６のトランジスタ７４５、第８のトランジスタ７４７、及び第１０のトランジスタ７４９のベース端子は、第２のトランジスタ７４１のコレクタ端子に接続されている。
【００６８】
第１のダイオード７５１のアノードは第２のダイオード７５２のアノードに、第３のダイオード７５３のアノードは第４のダイオード７５４のアノードに、それぞれ接続されている。
【００６９】
連結配線５５は第１のダイオード７５１のカソードに、連結配線５６は第３のダイオード７５３のカソードに、それぞれ接続されている。また、出力配線６１は第２のダイオード７５２のカソードに、出力配線６２は第４のダイオード７５４のカソードに、それぞれ接続されている。
【００７０】
第１の抵抗器７３０、第４の抵抗器７３２、第６の抵抗器７３４、第８の抵抗器７３６、及び第１０の抵抗器７３８の抵抗値はそれぞれ共通である。また、第３の抵抗器７３１、第５の抵抗器７３３、第７の抵抗器７３５、第９の抵抗器７３７、及び第１１の抵抗器７３９の抵抗値はそれぞれ共通である。
【００７１】
第１の電源線２１に電源電圧が印可されると、連結配線５１と連結配線５０との間に電圧が発生し、第２の抵抗器７３０、第１のトランジスタ７４０、第１の抵抗器７３、第２のトランジスタ７４１、及び第３の抵抗器７３１に電流が流れ、第１〜第１０のトランジスタ７４０〜７４９がオン状態となり、第１〜第４のダイオード７５１〜７５４に電流が流れる。
【００７２】
第１〜第４のダイオード７５１〜７５４に電流が流れると、アノードとカソードとの間のインピーダンスが小さくなるので、第１〜第４のダイオード７５１〜７５４を介して信号が伝達する。これにより、連結配線５５の信号状態がＨｉｇｈである場合には、出力配線６１の信号状態が、連結配線５５と同じくＨｉｇｈとなる。また、連結配線５５の信号状態がＬｏｗである場合には、出力配線６１の信号状態が、連結配線５５と同じくＬｏｗとなる。
【００７３】
連結配線５６と出力配線６２についても同様に、連結配線５６の信号状態がＨｉｇｈである場合には出力配線６２の信号状態もＨｉｇｈとなり、連結配線５６の信号状態がＬｏｗである場合には出力配線６２の信号状態もＬｏｗとなる。このように、電圧遮断回路６Ｃは、第１の電源線２１に電源電圧が印可されているとき、第１及び第２の信号線２５，２６の電圧（連結配線５５，５６の電圧）を制御回路３側（出力配線６１，６２）に伝達する。
【００７４】
一方、連結配線５１と連結配線５０との間に電圧が発生していないとき、すなわち第１の電源線２１に電源電圧が印可されていないときには、第１〜第１０のトランジスタ７４０〜７４９がオフ状態となり、第１〜第４のダイオード７５１〜７５４に電流が流れない。この状態では、アノードとカソードとの間のインピーダンスが大きくなるので、第１及び第２の信号線２５，２６の電圧（連結配線５５，５６の電圧）が制御回路３側（出力配線６１，６２）に伝達されない。
【００７５】
本実施の形態によっても、第１のダイオード７５１及び第３のダイオード７５３の逆方向耐圧を第１及び第２の信号線２５，２６に発生し得る電位よりも高くすることにより、第１及び第２の実施の形態と同様の作用及び効果が得られる。
【００７６】
［第５の実施の形態］
図１２は、第５の実施の形態に係る電圧遮断回路６Ｄの構成例を示す回路図である。本実施の形態に係るアンテナ制御装置は、電圧遮断回路６Ｄ以外の各構成要素については、第１の実施の形態に係るアンテナ制御装置１０と同様に構成されている。
【００７７】
電圧遮断回路６Ｄは、第１〜第４の定電流源７６１〜７６４と、第１及び第２のダイオード７７１，７７２とを有している。
【００７８】
第１の定電流源７６１、第１のダイオード７７１、及び第２の定電流源７６２は直列に接続されている。また、第３の定電流源７６３、第２のダイオード７７２、及び第４の定電流源７６４は直列に接続されている。第１の定電流源７６１及び第３の定電流源７６３の入力側には、連結配線５１が接続されている。また、第２の定電流源７６２及び第４の定電流源７６４の出力側には、連結配線５０が接続されている。
【００７９】
連結配線５５は、第１のダイオード７７１のカソードと第２の定電流源７６２の入力側との間に接続されている。出力配線６１は、第１の定電流源７６１の出力側と第１のダイオード７７１のアノードとの間に接続されている。また、連結配線５６は、第２のダイオード７７２のカソードと第４の定電流源７６４の入力側との間に接続されている。出力配線６２は、第３の定電流源７６３の出力側と第２のダイオード７７２のアノードとの間に接続されている。
【００８０】
連結配線５１と連結配線５０との間に電圧が発生しているとき、すなわち第１の電源線２１に電源電圧が印可されているとき、連結配線５５の信号状態がＨｉｇｈである場合には、第１の定電流源７６１の出力電流が出力配線６１に流れ、出力配線６１の信号状態は、連結配線５５と同じくＨｉｇｈとなる。また。連結配線５５の信号状態がＬｏｗである場合には、第１の定電流源７６１の出力電流が第１のダイオード７７１及び第２の定電流源７６２に流れ、出力配線６２の信号状態は、連結配線５５と同じくＬｏｗとなる。連結配線５６及び出力配線６２の信号状態についても同様である。
【００８１】
一方、連結配線５１と連結配線５０との間に電圧が発生していないとき、すなわち第１の電源線２１に電源電圧が印可されていないときには、連結配線５５，５６の信号状態に関わらず、第１〜第４の定電流源７６１〜７６４が動作しない。よって、第１及び第２の信号線２５，２６の電圧（連結配線５５，５６の電圧）が制御回路３側（出力配線６１，６２）に伝達されない。
【００８２】
本実施の形態によっても、第１のダイオード７７１及び第２のダイオード７７２の逆方向耐圧を第１及び第２の信号線２５，２６に発生し得る電位よりも高くすることにより、第１及び第２の実施の形態と同様の作用及び効果が得られる。
【００８３】
［第６の実施の形態］
図１３は、第６の実施の形態に係る電圧遮断回路６Ｅの構成例を示す回路図である。本実施の形態に係るアンテナ制御装置は、電圧遮断回路６Ｅ以外の各構成要素については、第１の実施の形態に係るアンテナ制御装置１０と同様に構成されている。
【００８４】
電圧遮断回路６Ｅは、第１〜第６の定電流源７８１〜７８６と、第１〜第４のダイオード７９１〜７９４とを有している。
【００８５】
第１の定電流源７８１の出力側には、第１のダイオード７９１及び第２のダイオード７９２のアノードが接続されている。第１のダイオード７９１及び第２のダイオード７９２のカソードには、第２の定電流源７８２及び第３の定電流源７８３の入力側がそれぞれ接続されている。また、第４の定電流源７８４の出力側には、第３のダイオード７９３及び第４のダイオード７９４のアノードが接続されている。第３のダイオード７９３及び第４のダイオード７９４のカソードには、第５の定電流源７８５及び第６の定電流源７８６の入力側がそれぞれ接続されている。
【００８６】
第１の定電流源７８１及び第４の定電流源７８４の入力側には、連結配線５１が接続されている。また、第２の定電流源７８２、第３の定電流源７８３、第５の定電流源７８５、及び第６の定電流源７８６の出力側には連結配線５０が接続されている。
【００８７】
連結配線５５は、第１のダイオード７９１のカソードと第２の定電流源７８２の入力側との間に接続されている。出力配線６１は、第２のダイオード７９２のカソードと第３の定電流源７８３の入力側との間に接続されている。また、連結配線５６は、第３のダイオード７９３のカソードと第５の定電流源７８５の入力側との間に接続されている。出力配線６２は、第４のダイオード７９４のカソードと第６の定電流源７８６の入力側との間に接続されている。
【００８８】
連結配線５１と連結配線５０との間に電圧が発生しているとき、すなわち第１の電源線２１に電源電圧が印可されているとき、連結配線５５の信号状態がＨｉｇｈである場合には、第１の定電流源７８１の電流が第２のダイオード７９２に流れ、出力配線６１の信号状態は、連結配線５５の信号状態と同じくＨｉｇｈとなる。また。連結配線５５の信号状態がＬｏｗである場合には、第１の定電流源７８１の電流が第１のダイオード７９１に流れ、出力配線６１の信号状態は、連結配線５５の信号状態と同じくＬｏｗとなる。連結配線５６及び出力配線６２の信号状態についても同様である。
【００８９】
一方、連結配線５１と連結配線５０との間に電圧が発生していないとき、すなわち第１の電源線２１に電源電圧が印可されていないときには、連結配線５５，５６の信号状態に関わらず、第１〜第４の定電流源７６１〜７６４が動作しない。よって、第１及び第２の信号線２５，２６の電圧（連結配線５５，５６の電圧）が制御回路３側（出力配線６１，６２）に伝達されない。
【００９０】
本実施の形態によっても、第１のダイオード７７１及び第２のダイオード７７２の逆方向耐圧を第１及び第２の信号線２５，２６に発生し得る電位よりも高くすることにより、第１及び第２の実施の形態と同様の作用及び効果が得られる。
【００９１】
以上、本発明の第１〜第６実施の形態及びその変形例を説明したが、上記に記載した実施の形態及び変形例は特許請求の範囲に係る発明を限定するものではない。また、実施の形態の中で説明した特徴の組合せの全てが発明の課題を解決するための手段に必須であるとは限らない点に留意すべきである。また、本発明は上記の実施の形態に限定されるものではなく、その要旨を逸脱しない範囲で種々の態様において実施することが可能である。
【符号の説明】
【００９２】
１…アンテナ装置、２…多芯ケーブル、２ａ，２ｂ…コネクタ、２ｃ…シース、３…制御回路、４…コンバータ、６，６Ａ〜６Ｅ…電圧遮断回路、１０，１０Ａ…アンテナ制御装置、１０ａ，１０ｂ…コネクタ、１１…筒体、１１ａ…開口、１２…アレイアンテナ、１３…移相器、１９…支柱、２０…電源グランド線、２１〜２３…第１〜第３の電源線、２４…信号グランド線、２５，２６…第１及び第２の信号線、３１…記憶素子、３２…送受信素子、３３…駆動回路、４０，４１…電源配線、５０〜５６…連結配線、６０…電磁コイル、６０ａ…第１の電磁コイル、６０ｂ…第２の電磁コイル、６１，６２…出力配線、６３…セット信号発生回路、６４，６４Ａ…リセット信号発生回路、７３，７３０〜７３９…第１〜第１１の抵抗器、１００…制御装置、１００ａ…直流電源装置、１００ｂ…制御回路、１１０…制御システム、１１１…支持金具、１１２…カバー部材、１２０…反射板、１２１…アンテナ素子、１２１ａ…第１エレメント、１２１ｂ…第２エレメント、１３０…電線、６１０，６２０…第１及び第２の接点、６３０…オペアンプ、６４１，６４２…外部端子、７４０〜７４９…第１〜第１０のトランジスタ、７８１〜７８６…第１〜第６の定電流源、６３１〜６３４…第１〜第４の抵抗器、６３５…コンデンサ、７１１〜７１４…第１〜第４の抵抗器、７５１〜７５４…第１〜第４のダイオード、７６１〜７６４…第１〜第４の定電流源、７９１〜７９４…第１〜第４のダイオード
【図１】
2013143714.tif 000003
【図２】
2013143714.tif 000004
【図３】
2013143714.tif 000005
【図４】
2013143714.tif 000006
【図５】
2013143714.tif 000007
【図６】
2013143714.tif 000008
【図７】
2013143714.tif 000009
【図８】
2013143714.tif 000010
【図９】
2013143714.tif 000011
【図１０】
2013143714.tif 000012
【図１１】
2013143714.tif 000013
【図１２】
2013143714.tif 000014
【図１３】
2013143714.tif 000015